(57)【特許請求の範囲】
【請求項１】
撮像手段により被写体を撮像した静止画像データを記録媒体に記録すると共に、当該静止画像データの一覧表示用画像データを一覧表示用画像生成手段により生成して記録媒体に記録し、上記一覧表示用画像データを表示手段により表示する静止画撮像装置において、
記録媒体が着脱自在に装着される記録媒体装着手段と、
記録媒体が上記記録媒体装着手段に装着されたときに当該記録媒体装着手段に装着された上記記録媒体から、当該記録媒体に記録されたデータの目録情報を読み出す読み出し手段と、
上記読み出し手段により読み出された上記目録情報に基づいて、上記記録媒体に記録された静止画像データの一覧表示用画像データがこの記録媒体に記録されているか否かを判定する判定手段とを備え、
上記一覧表示用画像生成手段は、上記判定手段により上記記録媒体に記録された上記静止画像データの一覧表示用画像データが当該記録媒体に記録されていないと判定された場合に、当該静止画像データの一覧表示用画像データを生成すること
を特徴とする静止画撮像装置。
【請求項２】
上記一覧表示用画像生成手段は、上記一覧表示用画像データを上記記録媒体に記録すると共に、当該記録媒体に記録された上記目録情報を更新すること
を特徴とする請求項１記載の静止画撮像装置。
【請求項３】
外部入力手段を備え、
上記判定手段は、さらに、当該外部入力手段から静止画像データが入力された際に、上記入力された上記静止画像データと共に当該静止画データの一覧表示用画像データが入力されたか否かを判定すること
を特徴とする請求項１記載の静止画撮像装置。
【請求項４】
上記一覧表示用画像生成手段は、上記判定手段により、上記入力された上記静止画像データと共に当該静止画データの一覧表示用画像データが入力されなかったと判定された場合に、上記入力された静止画像データに対応する一覧表示用画像を生成すること
を特徴とする請求項３記載の静止画撮像装置。
【請求項５】
上記一覧表示用画像生成手段は、上記生成した一覧表示用画像データを上記記録媒体に記録すると共に、上記記録媒体に記録された上記目録情報を更新すること
を特徴とする請求項４記載の静止画撮像装置。
【請求項６】
被写体を撮像した静止画像データを記録媒体に記録すると共に、当該静止画像データの一覧表示用画像データを生成して記録媒体に記録し、上記一覧表示用画像データを表示する静止画撮像装置の記録制御方法であって、
記録媒体が装着されたときに装着された上記記録媒体から、当該記録媒体に記録されたデータの目録情報を読み出す読み出しステップと、
読み出された上記目録情報に基づいて、上記記録媒体に記録された静止画像データの一覧表示用画像データがこの記録媒体に記録されているか否かを判定する判定ステップと、
上記記録媒体に記録された上記静止画像データの一覧表示用画像データが当該記録媒体に記録されていないと判定された場合に、当該静止画像データの一覧表示用画像データを生成する一覧表示用画像データ生成ステップと
を有することを特徴とする静止画撮像装置の記録制御方法。
【請求項７】
上記一覧表示用画像データ生成ステップでは、上記一覧表示用画像データを上記記録媒体に記録すると共に、当該記録媒体に記録された上記目録情報を更新すること
を特徴とする請求項６記載の静止画撮像装置。
【請求項８】
上記判定ステップでは、外部入力手段から静止画像データが入力された際に、上記入力された上記静止画像データと共に当該静止画データの一覧表示用画像データが入力されたか否かを判定すること
を特徴とする請求項６記載の静止画撮像装置の記録制御方法。
【請求項９】
上記一覧表示用画像データ生成ステップでは、上記入力された上記静止画像データと共に当該静止画データの一覧表示用画像データが入力されなかったと判定された場合に、上記入力された静止画像データに対応する一覧表示用画像データを生成すること
を特徴とする請求項８記載の静止画撮像装置の記録制御方法。
【請求項１０】
上記一覧表示用画像データ生成ステップでは、上記生成した一覧表示用画像データを上記記録媒体に記録すると共に、上記記録媒体に記録された上記目録情報を更新すること
を特徴とする請求項９記載の静止画撮像装置の記録制御方法。
【発明の詳細な説明】
【０００１】
【発明の属する技術分野】
本発明は、いわゆる固体撮像素子の如き撮像手段を用いて、静止画像を記録する静止画撮像装置及びその記録制御方法に関する。
【０００２】
【従来の技術】
従来より、いわゆる固体撮像素子（ＣＣＤ）の如き撮像手段を用いて、静止画像を記録する静止画撮像装置が提案されている。この静止画撮像装置においては、撮像レンズが設けられており、この撮像レンズにより形成される像が固体撮像素子により撮像され、この固体撮像素子より静止画像信号が出力される。この静止画像信号は、記録部において、磁気ディスクや光磁気ディスクの如き記録媒体に記録される。このとき、この記録部を制御する制御部は、一つの静止画像に対応した静止画像信号を静止画像ファイルとして記録媒体に記録させるとともに、この静止画像信号を間引き処理した一覧表示用画像信号を一覧表示用画像ファイルとして該記録媒体に記録させる。この一覧表示用画像ファイルとして記録される信号は、静止画像ファイルとして記録される信号に対して、１／３６乃至１／８１に間引き処理された信号であり、静止画像ファイルにしたがって表示される画像の１／６乃至１／９の面積の画像を表示するための信号となっている。
【０００３】
上述した一覧表示用画像のファイルは、本来の画像である静止画像のファイルとは別のファイルとして記録媒体に記録、若しくは記録媒体上で別のデータエリアに記録される。すなわち、図８に示すように、静止画像ＳＰ１，ＳＰ２，ＳＰ３，ＳＰ４，・・・の各ファイルＦ１，Ｆ２，Ｆ３，Ｆ４，・・・と、それら静止画像ＳＰ１，ＳＰ２，ＳＰ３，ＳＰ４，・・・からそれぞれ生成された一覧表示用画像ｓｎｐ１，ｓｎｐ２，ｓｎｐ３，ｓｎｐ４，・・・のファイルｆ１，ｆ２，ｆ３，ｆ４，・・・とが、記録媒体上で別の記録エリアに記録される。
【０００４】
そして、この静止画撮像装置においては、記録媒体より静止画像信号を読み出すことにより、この静止画像信号に応じた画像を表示装置において表示させることができる。この表示装置としては、陰極線管（ＣＲＴ）や液晶表示装置（ＬＣＤ）が用いられる。さらに、この静止画撮像装置においては、記録媒体より複数の一覧表示用画像信号を読み出すことにより、これら一覧表示用画像信号に応じた複数の画像を表示装置において並列的に配列させて一覧表示させることができる。このような一覧表示においては、表示装置において、６枚乃至９枚の静止画像が配列されて表示される。
【０００５】
すなわち、上記記録媒体に記録されている静止画像を再生して表示するときには、この記録媒体上の静止画像ファイルが記録されているエリアから当該静止画像信号を再生し、一方で、上記一覧表示用画像を再生して表示するときには、この記録媒体上の一覧表示用画像ファイルが記録されているエリアから当該一覧表示用画像信号を再生する。例えば複数の一覧表示用画像を再生して表示するとき（つまり一覧表示するとき）には、図９に示すように、複数の小さな一覧表示用画像ｓｎｐ１，ｓｎｐ２，ｓｎｐ３，ｓｎｐ４，・・・が一画面上に並列的に配列させて同時に表示される。図９の（ａ）は図８と同じ記録媒体の記録エリアを示しており、また、図９の（ｂ）には一画面上に６個の一覧表示用画像を表示した例を示している。
【０００６】
【発明が解決しようとする課題】
ところで、上述したような一覧表示用画像信号の生成及び記録が可能な静止画撮像装置（ここでは説明の都合上、本装置と呼ぶことにする）においては、上記記録媒体を筐体内に挿入及び排出可能となされていることが多く、この場合、別の静止画撮像装置（ここでは、本装置と区別するために別装置と呼ぶことにする）にて静止画像信号が記録された記録媒体をも挿入でき、したがって、本装置では上記別装置にて静止画像信号が記録された記録媒体を再生することも可能となる。
【０００７】
ところが、上記別装置が前述したような一覧表示用画像を生成及び記録できない装置である場合、当該別装置にて記録媒体に記録された静止画像ファイルには前記一覧表示用画像ファイルが付随していないことになる。このような場合、上記別装置にて記録がなされた記録媒体を、上記本装置で再生したとしても、当該記録媒体上には上記一覧表示用画像ファイルが存在しないため、静止画像本体は再生できるものの、その静止画像本体に対応する一覧表示用画像は再生及び表示できない。例えば、本装置と別装置の間で同一の記録媒体を交換しながら画像を記録した例として、図１０の（ａ）に示すように、静止画像ＳＰ１，ＳＰ２，ＳＰ４，ＳＰ５，ＳＰ７，ＳＰ８の各ファイルＦ１，Ｆ２，Ｆ４，Ｆ５，Ｆ７，Ｆ８を本装置にて記録し、静止画像ＳＰ３，ＳＰ６の各ファイルＦ３，Ｆ６を別装置にて記録したとすると、上記別装置にて記録した静止画像ファイルＦ３，Ｆ６には一覧表示用画像ファイルが付随していないため、当該記録媒体を本装置にて再生したときの一覧表示画面には、図１０の（ｂ）に示すように本装置にて記録された一覧表示用画像（図１０の例では一覧表示用画像ｓｎｐ１，ｓｎｐ２，ｓｎｐ４，ｓｎｐ５）しか表示されないことになる。このように、全ての静止画像に対応する一覧表示用画像が表示されないと、この一覧表示用画像を用いた検索（静止画像ファイル検索）を行おうとしても、検索できないファイルが発生し、好ましくない。
【０００８】
そこで、本発明は、上述の実情に鑑みて提案されるものであり、一覧表示用画像信号を生成及び記録できない静止画撮像装置にて撮像された静止画像ファイルが記録媒体に記録されていたとしても、その静止画像ファイルの一覧表示用画像ファイルを生成でき、記録媒体上に記録されている全静止画像ファイルの検索を容易にすることができる静止画撮像装置及びその記録制御方法を提供しようとするものである。
【０００９】
【課題を解決するための手段】
本発明は、撮像手段により被写体を撮像した静止画像データを記録媒体に記録すると共に、当該静止画像データの一覧表示用画像データを一覧表示用画像生成手段により生成して記録媒体に記録し、上記一覧表示用画像データを表示手段により表示する静止画撮像装置において、記録媒体が着脱自在に装着される記録媒体装着手段と、記録媒体が上記記録媒体装着手段に装着されたときに当該記録媒体装着手段に装着された上記記録媒体から、当該記録媒体に記録されたデータの目録情報を読み出す読み出し手段と、上記読み出し手段により読み出された上記目録情報に基づいて、上記記録媒体に記録された静止画像データの一覧表示用画像データがこの記録媒体に記録されているか否かを判定する判定手段とを備え、上記一覧表示用画像生成手段は、上記判定手段により上記記録媒体に記録された上記静止画像データの一覧表示用画像データが当該記録媒体に記録されていないと判定された場合に、当該静止画像データの一覧表示用画像データを生成してすることにより、上述した課題を解決する。
また、本発明は、被写体を撮像した静止画像データを記録媒体に記録すると共に、当該静止画像データの一覧表示用画像データを生成して記録媒体に記録し、上記一覧表示用画像データを表示する静止画撮像装置の記録制御方法であって、記録媒体が装着されたときに装着された上記記録媒体から、当該記録媒体に記録されたデータの目録情報を読み出す読み出しステップと、読み出された上記目録情報に基づいて、上記記録媒体に記録された静止画像データの一覧表示用画像データがこの記録媒体に記録されているか否かを判定する判定ステップと、上記記録媒体に記録された上記静止画像データの一覧表示用画像データが当該記録媒体に記録されていないと判定された場合に、当該静止画像データの一覧表示用画像データを生成する一覧表示用画像データ生成ステップとを有することにより、上述した課題を解決する。
【００１０】
すなわち本発明の静止画撮像装置によれば、例えば一覧表示用画像信号を生成及び記録できない装置にて信号記録がなされた記録媒体のように、対応する一覧表示用画像信号が存在しない静止画像信号が記録されていた場合には、その静止画像信号から一覧表示用画像信号を生成するようにしているため、記録媒体上に記録されている全静止画像信号の検索を容易にすることができる。
【００１１】
【発明の実施の形態】
以下、本発明の実施の形態を図面を参照しながら説明する。
【００１２】
本発明に係る静止画撮像装置は、図１に示すように、外筐体２を有して構成されている。この外筐体２の前面側の外側部には、撮影釦３、撮像レンズ４、閃光照明装置の発光部５などが配設されている。また、この外筐体２の後面側の外側部には、図２に示すように、表示手段となる表示部１１、操作部１６などが配設されている。さらに、この外筐体２の側面部には、蝶番部７ａを介して外筐体２に対して回動可能に取付けられた蓋体７によって開閉可能となされた記録媒体挿入口１４が配設されている。この記録媒体挿入口１４からは、記録媒体となるいわゆるフロッピーディスクの如きディスクカートリッジ８が挿入される。このディスクカートリッジ８は、外筐体２内の記録媒体装着部に装着される。この蓋体７は、被係合部１３，１３を有し、この被係合部１３，１３に外筐体２に配設された係合爪１２，１２を係合されることによって、閉蓋状態に保持される。この係合爪１２，１２は、外筐体２の後面部に設けられたスライダノブ１５のスライド操作によって、被係合部１３，１３に対する係合を解除する方向に移動操作される。すなわち、蓋体７は、スライダノブ１５をスライド操作することにより、開蓋することが可能な状態となされる。
【００１３】
ディスクカートリッジ８は、磁気ディスクの如き記録ディスク９が回転可能に薄い筐体状のカートリッジに収納されて構成されている。このカートリッジの一方の主面部には、記録ディスク９の中心部に取付けられたハブ部９ａを外方側に臨ませるためのチャッキング用開口部が設けられている。また、このカートリッジの両主面部には、記録ディスク９の信号記録面の一部を外方側に臨ませるための記録再生用開口部１０ａ，１０ａが形成されている。これら記録再生用開口部１０ａ，１０ａは、カートリッジにスライド可能に取付けられたシャッタ板１０により開閉可能となされている。
【００１４】
このディスクカートリッジ８としては、磁気ディスクに限定されず、光磁気ディスクやいわゆる相変化型の記録ディスクなど、情報信号の書き込み及び読み出しが可能である種々の方式の記録ディスクをカートリッジに収納して構成されたものを使用することができる。なお、この実施の形態においては、ディスクカートリッジ８として、フロッピーディスクを用いた場合について説明する。
【００１５】
外筐体２内においては、図３に示すように、撮像レンズ４により形成される被写体の像は、撮像手段となる図３中ＣＣＤで示す固体撮像素子２１により撮像される。この固体撮像素子２１より出力される撮像信号は、図３中Ｓ／Ｈ−Ａ／Ｄで示すサンプルホールド−アナログディジタルコンバータ２２により１０ビットのディジタル信号に変換されて、カメラ信号処理回路２３に送られる。カメラ信号処理回路２３は、サンプルホールド−アナログディジタルコンバータ２２より送られたディジタル信号を信号処理し、８ビットの輝度信号Ｙと４ビットの色差信号Ｃに変換して、ＤＲＡＭコントローラ２５に送る。このＤＲＡＭコントローラ２５に送られた輝度信号Ｙ及び色差信号Ｃは、そのままパネル信号処理回路２６に送られるとともに、記憶手段となる図３中ＤＲＡＭ（記憶保持動作が必要な随時書き込み読み出しメモリ）で示すダイナミックランダムアクセスメモリ２４に記録される形態のデータに変換されて、ダイナミックランダムアクセスメモリ２４に送られ、また、記録手段となる図３中ＦＤＣで示すフロッピーディスクコントローラ２９に送られる。
【００１６】
パネル信号処理回路２６は、送られた輝度信号Ｙ及び色差信号Ｃに基づいて、３原色信号Ｒ，Ｇ，Ｂを生成して、表示部１１に送る。この表示部１１としては、液晶表示パネル（ＬＣＤパネル）の他、陰極線管（ＣＲＴ）も用いられる。このように、カメラ信号処理回路２３より出力されている輝度信号Ｙ及び色差信号Ｃに基づく画像が表示部１１に表示されている状態においては、現に撮像レンズ４が撮像している被写体の像が表示部１１に表示されていることになり、この表示部１１は、ファインダの役割をも果たしていることになる。
【００１７】
そして、撮影釦３は、操作入力回路２７に接続されている。この操作入力回路２７は、撮影釦３が押圧操作されると、制御部となるマイコン（マイクロコンピュータ）２８ａに対して、撮影釦３が押圧操作されたことを示す操作信号を送る。また、操作部１６も、操作入力回路２７に接続されている。この操作入力回路２７は、操作部１６を構成するスイッチが操作されると、マイコン２８ａに対して、操作部１６が操作されたことを示す操作信号を送る。このマイコン２８ａとしては、例えば、高速処理が可能なＲＩＳＣ（Reduced Instruction Set Computer：縮小命令セットコンピュータ）タイプのものが用いられ、各回路ブロックを制御するためのソフトウェアプログラムが格納された図３中ＲＯＭで示すリードオンリーメモリ２８を備えている。このマイコン２８ａは、操作入力回路２７からの操作信号に基づいて、リードオンリーメモリ２８に記憶されたソフトウェアプログラムに従った動作を実行する。
【００１８】
すなわち、このマイコン２８ａは、リードオンリーメモリ２８に記憶されたソフトウェアプログラムに従い、ダイナミックランダムアクセスメモリ２４及びフロッピーディスクコントローラ２９を制御する。なお、これらマイコン２８ａ、ダイナミックランダムアクセスメモリ２４、フロッピーディスクコントローラ２９及びＤＲＡＭコントローラ２５は、共通のデータバスによって、互いに接続されている。ダイナミックランダムアクセスメモリ２４は、例えば、４Ｍバイトの記憶容量を有するメモリチップ２個で構成されている。フロッピーディスクコントローラ２９は、記録媒体装着部である図３中ＦＤＤで示すフロッピーディスクドライブ３０に対して制御信号を送ってこのフロッピーディスクドライブ３０を制御するとともに、このフロッピーディスクドライブ３０との間で、読み出しデータＲＤＡＴＡ及び書込みデータＷＤＡＴＡの授受を行う。読み出しデータＲＤＡＴＡは、記録ディスク９より読み出されたデータである。書込みデータＷＤＡＴＡは、記録ディスク９に書込まれるデータである。
【００１９】
フロッピーディスクドライブ３０は、記録媒体挿入口１４を介して挿入されたディスクカートリッジ８が装着されると、このディスクカートリッジ８の記録ディスク９のハブ部を保持してこの記録ディスク９を回転操作するとともに、記録再生用開口部１０ａ，１０ａを介して、磁気ヘッドの如きピックアップ装置によって、この記録ディスク９に対する書込みデータＷＤＡＴＡの書き込み及び読み出しデータＲＤＡＴＡの読み出しを行う。
【００２０】
この静止画撮像装置１において、撮像釦３が押圧操作されると、撮像動作が実行される。すなわち、撮像釦３が押圧操作されると、カメラ信号処理回路２３より出力されている輝度信号Ｙ及び色差信号Ｃに対応するデータがダイナミックランダムアクセスメモリ２４及びフロッピーディスクコントローラ２９に送られる。ダイナミックランダムアクセスメモリ２４においては、送られたデータは、ＤＲＡＭコントローラ２５及びマイコン２８ａから送られるアドレスデータに基づき、所定のアドレス位置において記憶される。また、フロッピーディスクコントローラ２９においては、送られたデータは、フロッピーディスクドライブ３０に送られて、記録ディスク９に記録される。
【００２１】
すなわち、マイコン２８ａは、被写体の撮像時において、輝度信号Ｙと色差信号ＣをＤＲＡＭコントローラ２５からダイナミックランダムアクセスメモリ２４の所定領域に格納させ、格納された輝度信号Ｙと色差信号ＣをＪＰＥＧ（Joint Photographic coding Experts Group）方式でデータ圧縮する処理を行う。また、マイコン２８ａは、ＪＰＥＧ方式で圧縮した画像についてのデータをダイナミックランダムアクセスメモリ２４の輝度信号Ｙと色差信号Ｃを格納した領域とは異なる領域にＪＰＥＧストリームデータとして書き込む処理を行う。
【００２２】
また、マイコン２８ａは、ＪＰＥＧストリームデータをダイナミックランダムアクセスメモリ２４から読み出して、このＪＰＥＧストリームデータをいわゆるＰＣ／ＡＴ互換型のパーソナルコンピュータに対応するＭＳ−ＤＯＳ（Microsoft Disc Operating System：マイクロソフト社の登録商標）フォーマット形式に変換してフロッピーディスクコントローラ２９に供給する処理を行う。そして、マイコン２８ａは、このＭＳ−ＤＯＳフォーマット形式に変換されたデータをフロッピーディスクドライブ３０に装着されたディスクカートリッジ８の記録ディスク９に静止画像信号として書き込むように、フロッピーディスクコントローラ２９を制御する。
【００２３】
さらに、この静止画撮像装置１においては、マイコン２８ａは、一つの静止画像に対応した静止画像信号を一つの静止画像ファイルとして記録ディスク９に記録するに伴って、この静止画像信号を間引き処理した一覧表示用画像信号を一つの一覧表示用画像ファイルとして記録ディスク９及びダイナミックランダムアクセスメモリ２４に記録する。すなわち、この静止画撮像装置１においては、撮像釦３を押圧操作することにより被写体を撮像すると、フロッピーディスクドライブ３０に装着されたディスクカートリッジ８内の記録ディスク９には、被写体についての静止画像ファイル及びこの静止画像ファイルについてのインデックスとなる一覧表示用画像ファイルが、それぞれ、例えば「．ＪＰＧ」及び「．４１１」の拡張子を持ったファイル形式で記録される。この一覧表示用画像ファイルとして記録される信号は、静止画像ファイルとして記録される信号に対して、１／３６乃至１／８１に間引き処理された信号であり、静止画像ファイルにしたがって表示される画像の１／６乃至１／９の面積の画像を表示するための信号となっている。
【００２４】
この一覧表示用画像ファイルは、撮像の度にダイナミックランダムアクセスメモリ２４に格納されるとともに、すでに静止画像ファイル及び一覧表示用画像ファイルが記録されたディスクカートリッジ８がフロッピーディスクドライブ３０に装着されたときには、このディスクカートリッジ８の記録ディスク９より読み出されてダイナミックランダムアクセスメモリ２４に格納される。すなわち、この静止画撮像装置１においては、フロッピーディスクドライブ３０にディスクカートリッジ８が装着され、いわゆるＦＡＴ（File Allocation Table）情報の如き、このディスクカートリッジ８の記録ディスク９に記録された静止画像ファイルについての目録情報を読み出してダイナミックランダムアクセスメモリ２４に格納するときに、この記録ディスク９に記録された全ての一覧画像ファイルを一括して読み出してダイナミックランダムアクセスメモリ２４に格納する。
【００２５】
また、この静止画撮像装置１のマイコン２８ａにおいては、上記ＦＡＴ情報を読み出したときに、静止画像ファイルに対応した一覧表示用画像ファイルの有無をも判断し、静止画像ファイルに対応した一覧表示用画像ファイルが存在しない場合には、当該一覧表示用画像ファイルが付随していない静止画像ファイルを記録媒体から読み出して、その静止画像信号を間引き処理した一覧表示用画像信号を生成し、この一覧表示用画像ファイルを記録ディスク９及びダイナミックランダムアクセスメモリ２４に記録するとともに、当該一覧表示用画像ファイルに対応する目録情報をＦＡＴ情報として記録ディスク９に記録する。
【００２６】
すなわち、マイコン２８ａは、図４のフローチャートに示すように、ステップＳＴ１において、記録媒体である記録ディスク９について画像信号の読み出しを開始すると、ステップＳＴ２においてＦＡＴ部の目録情報の読込みを行い、ステップＳＴ３に進む。このステップＳＴ３では、記録ディスク９に読み込むべき一覧表示用画像ファイルが記録されているか否かを判別する。記録ディスク９に一覧表示用画像ファイルが記録されていれば、ステップＳＴ４に進み、記録ディスク９に一覧表示用画像ファイルが記録されていなければ、ステップＳＴ１３に進んで処理を終了する。
【００２７】
ステップＳＴ４では、ＦＡＴ部の目録情報に基づいて静止画像ファイルに対応した一覧表示用画像ファイルの有無を判断する。すなわち、このステップＳＴ４では、対応する一覧表示用画像ファイルが存在しない静止画像ファイルが有るか否かを判断する。ここで、対応する一覧表示用画像ファイルが存在しない静止画像ファイルが有ると判定したときにはステップＳＴ５に進み、無いと判定したときにはステップＳＴ１０に進む。
【００２８】
ステップＳＴ５では、上記対応する一覧表示用画像ファイルが存在しない静止画像ファイルを上記記録ディスク９から読み出し、前記ダイナミックランダムアクセスメモリ２４上に展開する。次いで、ステップＳＴ６では、その静止画像ファイルを解凍して静止画像信号を再現し、ステップＳＴ７にてその静止画像信号から一覧表示用画像信号を生成する。ステップＳＴ８では、上記生成した一覧表示用画像信号のファイルを記録ディスク９に記録するとともに、ダイナミックランダムアクセスメモリ２４に格納する。ステップＳＴ９では、その一覧表示用画像ファイルの記録に応じてＦＡＴ情報の更新を行った後、ステップＳＴ４に戻る。なお、ステップＳＴ４からステップＳＴ９までの処理では、ＦＡＴ情報の先頭から順に１ファイルずつ処理していくことも可能である。
【００２９】
一方、上記ステップＳＴ４にて、対応する一覧表示用画像ファイルが存在しない静止画像ファイルが無いと判定したときに進むステップＳＴ１０では、一覧表示用画像ファイルを一括して読み出し、ステップＳ１１に進む。ステップＳ１１では、記録ディスク９より読み出された一覧表示用画像ファイルをダイナミックランダムアクセスメモリ２４に格納し、ステップＳＴ１２に進む。ステップＳＴ１２では、記録ディスク９に記録された一覧表示用画像ファイルの全てを読み出したか否かを判別し、全ての一覧表示用画像ファイルを読み出していればステップＳＴ１３に進んで処理を終了し、全ての一覧表示用画像ファイルの読み出しをしていなければステップＳＴ１０に戻る。
【００３０】
そして、この静止画撮像装置１においては、ダイナミックランダムアクセスメモリ２４より複数の一覧表示用画像ファイルを読み出すことにより、これら一覧表示用画像信号に応じた複数の画像を表示部１１において並列的に配列させて一覧表示させることができる。このような一覧表示においては、表示部１１において、図５に示すように、例えば６枚の一覧表示用画像（静止画像）１７ａ，１７ｂ，１７ｃ，１７ｄ，１７ｅ，１７ｆが、あるいは、図６に示すように、９枚の一覧表示用画像（静止画像）１７ａ，１７ｂ，１７ｃ，１７ｄ，１７ｅ，１７ｆ，１７ｇ，１７ｈ，１７ｉが配列されて表示される。このとき、一覧表示用画像ファイルの読み出しは、記録ディスク９からではなく、ダイナミックランダムアクセスメモリ２４から行うので、一覧表示の開始を迅速に行うことができる。
【００３１】
また、この静止画撮像装置１においては、一覧表示用画像は、記録ディスク９に記録された画像のうちより任意に選択することができ、また、表示部１１における一覧表示用画像の並べ方を変更することもできる。このような一覧表示用画像の表示状態の切換えは、操作部１６を操作することにより行うことができる。このとき、新たな一覧表示用画像ファイルの読み出しは、記録ディスク９からではなく、ダイナミックランダムアクセスメモリ２４から行うので、一覧表示の表示状態の変更を迅速に行うことができる。
【００３２】
さらに、この静止画撮像装置１においては、上記表示部１１に表示されている各一覧表示用画像の中から任意の一覧表示用画像を選択（すなわち検索）し、当該選択した一覧表示用画像に対応する静止画像ファイルを、ダイナミックランダムアクセスメモリ２４のＪＰＥＧストリームデータから読み出すことにより、あるいは、フロッピーディスクドライブ３０に装着されたディスクカートリッジ８の記録ディスク９から読み出して解凍することにより、当該静止画像を表示部１１において表示させることができる。この場合においては、表示部１１には、図７に示すように、全面に亘って一つの静止画像１７ａが表示される。
【００３３】
さらに、この静止画撮像装置１においては、記録ディスク９に記録された静止画像ファイル及び一覧表示用画像ファイルのうちから不要なものを消去するなどの種々の編集操作ができるようになっている。
【００３４】
以上の機能により、本実施の形態の静止画撮像装置においては、一覧表示用画像ファイルを生成できない装置によって静止画像が記録された記録ディスク９であっても、一覧表示用画像を生成及び表示することが可能となる。また、本実施の形態の静止画撮像装置においては、記録ディスク９から一覧表示用画像ファイルを消去したとしても、後に静止画像から一覧表示用画像を生成して再記録でき、したがって、その表示も可能となる。
【００３５】
なお、上述した実施の形態では、一覧表示用画像ファイルを生成できない装置によって静止画像ファイルが記録された記録ディスク９から当該静止画像ファイルを再生し、この静止画像ファイルを解凍して生成した静止画像信号から一覧表示用画像信号を作る例を挙げているが、例えば、本実施の形態の静止画撮像装置に設けられた外部入力端子を通して、静止画像信号のみが供給されたような場合にも当該静止画像信号に対応する一覧表示用画像信号を生成して記録ディスク９及びダイナミックランダムアクセスメモリ２４に記録することも可能である。
【００３６】
【発明の効果】
本発明では、記録媒体が装着されたときに装着された上記記録媒体から、当該記録媒体に記録されたデータの目録情報を読み出し、読み出された上記目録情報に基づいて、上記記録媒体に記録された静止画像データの一覧表示用画像データがこの記録媒体に記録されているか否かを判定し、上記記録媒体に記録された上記静止画像データの一覧表示用画像データが当該記録媒体に記録されていないと判定された場合に、当該静止画像データの一覧表示用画像データを生成して上記記録媒体に記録するので、例えば、一覧表示用画像データを生成及び記録できない静止画撮像装置にて撮像された静止画像データが記録媒体に記録されていたとしても、その静止画像データの一覧表示用画像データを生成でき、したがって、記録媒体上に記録されている全静止画像データの検索を容易にすることが可能である。
【図面の簡単な説明】
【図１】本発明実施の形態の静止画撮像装置の前面側の外観を示す斜視図である。
【図２】本実施の形態の静止画撮像装置の後面側の外観を示す斜視図である。
【図３】本実施の形態の静止画撮像装置の構成を示すブロック回路図である。
【図４】本実施の形態の静止画撮像装置の制御部の動作を示すフローチャートである。
【図５】本実施の形態の静止画撮像装置において６分割の一覧表示が行われる状態の表示部の構成を示す正面図である。
【図６】本実施の形態の静止画撮像装置において９分割の一覧表示が行われる状態の表示部の構成を示す正面図である。
【図７】本実施の形態の静止画撮像装置において静止画像が表示される状態の表示部の構成を示す正面図である。
【図８】記録媒体上に記録される静止画像ファイルと一覧表示用ファイルの記録エリアの説明に用いる図である。
【図９】記録媒体上の静止画像ファイル及び一覧表示用ファイルと、表示される一覧表示用画像との関係の説明に用いる図である。
【図１０】一覧表示用画像を生成及び記録できない装置によって記録がなされた記録媒体を再生したときに、一覧表示用画像が表示できくなる例の説明に用いる図である。
【符号の説明】
１  静止画撮像装置、４  撮像レンズ、９  記録ディスク、１１  表示部、２１  固体撮像素子、２４  ダイナミックランダムアクセスメモリ、２８ａ  マイコン、３０  フロッピーディスクドライブ
【図１】
0003893683.tif 000002
【図２】
0003893683.tif 000003
【図３】
0003893683.tif 000004
【図４】
0003893683.tif 000005
【図５】
0003893683.tif 000006
【図６】
0003893683.tif 000007
【図７】
0003893683.tif 000008
【図８】
0003893683.tif 000009
【図９】
0003893683.tif 000010
【図１０】
0003893683.tif 000011